(57)【特許請求の範囲】
【請求項１】
情報通信体が印刷により面付けされた枚葉用紙を該情報通信体の天地方向が用紙移送方向に沿うように一枚ずつ送り出す工程、送り出された枚葉用紙の疑似接着予定面に連続的に疑似接着フィルムを被覆する被覆工程、連続的に被覆された疑似接着フィルムにより連続体となった枚葉用紙を連続的に折り畳む折り工程、疑似接着フィルムにより連続的に被覆されると共に連続的に折り畳まれた枚葉用紙を情報通信体毎に裁断する裁断工程、及び前記裁断工程の前又は後に、前記折り工程により折り畳まれた枚葉用紙をその対向面に被覆された疑似接着フィルム同士が剥離可能に接着されるように剥離可能に一体化する圧着工程からなる情報通信体の製造方法であって、
前記裁断工程が、前記折り工程により連続的に折り畳まれ、或いはさらに圧着工程により剥離可能に一体化された第一の枚葉用紙の先端を読み取ると共に第一の枚葉用紙を所定の位置に送り込み、該枚葉用紙に面付けされた情報通信体の天地側の余白部分を複数のカッタにより同時に裁断した後に、続いて搬送される第二以後の枚葉用紙の先端を読み取ることにより後続の枚葉用紙を順次所定の位置に送り込み、該枚葉用紙に面付けされた情報通信体の天地側の余白部分を裁断する動作を繰り返すことを特徴とした情報通信体の製造方法。
【請求項２】
情報通信体が印刷により面付けされた枚葉用紙を該情報通信体の天地方向が用紙移送方向に沿うように一枚ずつ送り出す工程、送り出された枚葉用紙の疑似接着予定面に連続的に疑似接着フィルムを被覆する被覆工程、連続的に被覆された疑似接着フィルムにより連続体となった枚葉用紙を連続的に折り畳む折り工程、疑似接着フィルムにより連続的に被覆されると共に連続的に折り畳まれた枚葉用紙を情報通信体毎に裁断する裁断工程、及び前記裁断工程の前又は後に、前記折り工程により折り畳まれた枚葉用紙をその対向面に被覆された疑似接着フィルム同士が剥離可能に接着されるように剥離可能に一体化する圧着工程からなる情報通信体の製造方法であって、
前記裁断工程が、前記折り工程により連続的に折り畳まれ、或いはさらに圧着工程により剥離可能に一体化された第一の枚葉用紙の先端を読み取ると共に第一の枚葉用紙を所定の位置に送り込み、該枚葉用紙に面付けされた情報通信体の天地側の余白部分を単数のカッタにより順次裁断した後に、続いて搬送される第二以後の枚葉用紙の先端を読み取ることにより後続の枚葉用紙を順次所定の位置に送り込み、該枚葉用紙に面付けされた情報通信体の天地側の余白部分を裁断する動作を繰り返すことを特徴とした情報通信体の製造方法。
【発明の詳細な説明】
【技術分野】
【０００１】
本発明はＤＭを始め葉書、往復葉書、封書等に使用される情報通信体の製造方法に関する。詳しくは見掛けは単葉であるにもかかわらず、複数の葉片が折り畳まれ、或いは切り重ねられ剥離可能に一体化されているため、通常より多くの情報を隠蔽状態で伝達することが可能な情報通信体の製造方法に関する。
【０００２】
最近複数の葉片が剥離可能に一体化された葉書等が多用されている。このものは一見単葉の葉書でありながら、複数の葉片が剥離可能に一体化されているため、通常より多くの情報を隠蔽状態で郵送することが可能である。もちろん郵送代が通常の葉書料金のためコスト面においてもメリットを有する優れものである。
【０００３】
ところで本出願人は、前記情報通信体を効率よく製造する方法を特開２００２−１２０４７８号の「情報通信体の製造方法」で提案した。
前記文献内容は剥離展開不能や開封不能の事故がなくなり、素人でも高品質の情報通信体を短時間で大量に、しかも低コストで製造することが可能な情報通信体の製造方法を提供するものである。そして、情報通信体用用紙ｔが印刷されたシートＳをその疑似接着予定面に疑似接着媒体を形成して積層シートＳにする工程（ａ）と、積層シートＳを所要方向に裁断して個別の情報通信体用用紙ｔにする工程（ｂ）と、個別の情報通信体用用紙ｔをその疑似接着予定面同士が対向するように折り畳む工程（ｃ）と、折り畳まれた情報通信体用用紙ｔの対向する疑似接着予定面を各面上の疑似接着媒体を介して加熱・加圧又は加圧下に疑似接着し、一体化する工程（ｄ）とからなる製造方法である。
【特許文献１】特開２００２−１２０４７８号公報
【発明の開示】
【発明が解決しようとする課題】
【０００４】
前記文献による情報通信体の製造方法は、情報通信体用用紙の表面に疑似接着媒体を形成した後に、単体の情報通信体用用紙に切り離してから下流の工程へ進むことを特徴としている。然るに疑似接着媒体が形成された用紙は非常にカールが起こりやすく、下流の裁断工程、折り工程、圧着一体化工程等でスリッタ、折り機、圧着機等を通過させることが極めて困難である。即ちカールにより変則的に反り曲がった用紙が各種ガイドからはみ出してジャミングや破れを起こしたり、或いはスリッタ刃や各種ガイドローラーに素直に沿って搬送されず歪みが生じたりするのである。特に余白部分の切除において、カールにより斜めに切断されてしまうと、下流の折り工程で折り畳んだ端縁が一致せずクレームの対象となってしまう。
【０００５】
本発明者等は鋭意研究の末、疑似接着媒体を形成した用紙でもカールの影響を全く受けることなく容易に各加工工程を通過することができ、特に裁断工程でその性能を発揮する情報通信体の製造方法を発明したのである。即ち、本発明は素人でも簡単にしかも非常に効率よく情報通信体を製造でき、特に裁断工程においてトラブルなく確実に正確に裁断を行うことができる情報通信体の製造方法を提供することを目的としている。
【課題を解決するための手段】
【０００６】
上記目的を達成するために本発明の情報通信体の製造方法は、情報通信体が印刷により面付けされた枚葉用紙を該情報通信体の天地方向が用紙移送方向に沿うように一枚ずつ送り出す工程、送り出された枚葉用紙の疑似接着予定面に連続的に疑似接着フィルムを被覆する被覆工程、疑似接着フィルムにより連続的に被覆されると共に連続的に被覆された疑似接着フィルムにより連続体となった枚葉用紙を連続的に折り畳む折り工程、連続的に折り畳まれた枚葉用紙を情報通信体毎に裁断する裁断工程、及び前記裁断工程の前又は後に、前記折り工程により折り畳まれた枚葉用紙をその対向面に被覆された疑似接着フィルム同士が剥離可能に接着されるように剥離可能に一体化する圧着工程からなる情報通信体の製造方法であって、
前記裁断工程が、前記折り工程により連続的に折り畳まれ、或いはさらに圧着工程により剥離可能に一体化された第一の枚葉用紙の先端を読み取ると共に第一の枚葉用紙を所定の位置に送り込み、該枚葉用紙に面付けされた情報通信体の天地側の余白部分を複数のカッタにより同時に裁断した後に、続いて搬送される第二以後の枚葉用紙の先端を読み取ることにより後続の枚葉用紙を順次所定の位置に送り込み、該枚葉用紙に面付けされた情報通信体の天地側の余白部分を裁断する動作を繰り返すことを特徴としている。
【０００７】
さらに上記目的を達成するために本発明の別の情報通信体の断裁方法は、情報通信体が印刷により面付けされた枚葉用紙を該情報通信体の天地方向が用紙移送方向に沿うように一枚ずつ送り出す工程、送り出された枚葉用紙の疑似接着予定面に連続的に疑似接着フィルムを被覆する被覆工程、連続的に被覆された疑似接着フィルムにより連続体となった枚葉用紙を連続的に折り畳む折り工程、疑似接着フィルムにより連続的に被覆されると共に連続的に折り畳まれた枚葉用紙を情報通信体毎に裁断する裁断工程、及び前記裁断工程の前又は後に、前記折り工程により折り畳まれた枚葉用紙をその対向面に被覆された疑似接着フィルム同士が剥離可能に接着されるように剥離可能に一体化する圧着工程からなる情報通信体の製造方法であって、
前記裁断工程が、前記折り工程により連続的に折り畳まれ、或いはさらに圧着工程により剥離可能に一体化された第一の枚葉用紙の先端を読み取ると共に第一の枚葉用紙を所定の位置に送り込み、該枚葉用紙に面付けされた情報通信体の天地側の余白部分を単数のカッタにより順次裁断した後に、続いて搬送される第二以後の枚葉用紙の先端を読み取ることにより後続の枚葉用紙を順次所定の位置に送り込み、該枚葉用紙に面付けされた情報通信体の天地側の余白部分を裁断する動作を繰り返すことを特徴としている。
【０００８】
なお、前記各工程において、前記のように、折り畳まれた枚葉用紙の裁断工程と、枚葉用紙を加圧或いは加圧・加熱により剥離可能に一体化する圧着工程とを入れ替えても構わない。
【０００９】
上記の課題解決手段による作用は次の通りである。即ち、連続的に繰り出される枚葉用紙を連続的に繰り出される疑似接着フィルムで被覆する。そのため前記枚葉用紙は疑似接着フィルムにより連続状態になる。そして連続状態の枚葉用紙は単品の枚葉用紙と異なり張力が働いているのでカールの発生が抑制される。そのため下流の各工程とりわけ裁断工程において確実に裁断がなされると共にその精度が向上する。
【発明の効果】
【００１０】
上述したように本発明の情報通信体の製造方法は、枚葉用紙であるにも拘わらず、恰も連続用紙と同じ状態での加工が可能になり、下流のミシン加工、折り加工等の工程でフィルム被覆された枚葉用紙のカール問題に左右されることなく、連続的に情報通信体の製造をインラインで一気に処理することができる。特に本発明の情報通信体の製造方法によれば、用紙とフィルムが予め一体化されているために、両者のずれや切りくずの処理等でトラブルが発生せず、極めて容易に精度の高い裁断が可能になるのである。その結果裁断作業での歩留まりが向上し、時間や人手が削減でき、大幅なコストダウンを図ることができるのである。
【発明を実施するための最良の形態】
【００１１】
以下本発明の実施の形態を図面に基づいて説明する。
図１は本発明に係る情報通信体の製造方法における工程の流れを示す要部概略図である。図２（Ａ）及び（Ｂ）は二つ折り葉書用紙の表面図及び裏面図である。図３は枚葉用紙Ｓ１が搬送される様子を示す平面図である。図４は疑似接着フィルムＧを厚さ方向に拡大した部分拡大断面図である。図５（Ａ）は疑似接着フィルムＧで被覆された枚葉用紙Ｓ１が搬送される様子を示す平面図、（Ｂ）はＩ−Ｉ線断面図である。図６（Ａ）は切除される用紙移送方向の余白部分Ｖ１を示す平面図、（Ｂ）は用紙移送方向の余白部分Ｖ１が連続的に切除される様子を示す要部概略平面図である。図７（Ａ）は用紙移送方向の余白部分Ｖ１が切除された枚葉用紙Ｓ１が搬送される様子を示す平面図、（Ｂ）はII−II線断面図である。図８（Ａ）は折り畳まれた枚葉用紙Ｓ１が搬送される様子を示す平面図、（Ｂ）は切除される天地側の余白部分Ｖ２を示す平面図である。図９〜図１６は天地側の余白部分Ｖ２が裁断により切除される具体的な様子を経時的に示す要部概略図である。図１７（Ａ）は完成した情報通信体Ｊ（二つ折り葉書）の斜視図、（Ｂ）は情報通信体Ｊ（二つ折り葉書）の異なる態様を示す斜視図である。図１８は情報通信体Ｊ（三つ折り葉書）の製造工程を示す要部概略図である。図１９（Ａ）及び（Ｂ）は枚葉用紙Ｓ２の表面図及び裏面図である。図２０（Ａ）は疑似接着フィルムＧで被覆された枚葉用紙Ｓ２が搬送される様子を示す平面図、（Ｂ）はIII−III線断面図である。図２１は切除される用紙移送方向の余白部分Ｖ３を示す平面図である。図２２は断面Ｚ字状に折り畳まれた枚葉用紙Ｓ２の断面図である。図２３（Ａ）は用紙移送方向の余白部分Ｖ３が切除された枚葉用紙Ｓ２が搬送される様子を示す平面図、（Ｂ）はIV−IV線断面図である。図２４（Ａ）は完成した情報通信体Ｊ（三つ折り葉書）の斜視図、（Ｂ）は情報通信体Ｊ（三つ折り葉書）の異なる態様を示す斜視図である。
【００１２】
まず、本発明の情報通信体の中で最も基本的な形態である二つ折り葉書について説明する。図２（Ａ）及び（Ｂ）に示す如く、枚葉用紙Ｓ１は、例えばＡ４サイズより一回り大きなＡ４ワイド用紙（菊八つ切り）に葉書倍寸のサイズの二つ折り葉書用紙ｔ１が２丁面付けされている。そして二つ折り葉書用紙ｔ１は第一葉片２１と第二葉片２２が折り線２３を介して連接されており、第一葉片２１表面には郵便切手欄２４と郵便番号欄２５が印刷され、第二葉片２２表面には宣伝広告等の一般情報２６が記載されている。一方第一葉片２１及び第二葉片２２裏面には例えば秘密を要する個人情報２７（必ずしも秘密を要する情報である必要はなく、一般情報や或いは一般情報と個人情報が混在していても構わない）が記載されている。
【００１３】
前記枚葉用紙Ｓ１は、図１中において左側の用紙載せ台１に積載される。積載された枚葉用紙Ｓ１は最上面から一枚ずつ、各二つ折り葉書用紙ｔ１の天地方向が用紙移送方向に沿うように、例えば吸着パッド２（フィードローラー等でも構わない）により右側下流の工程へ等間隔を保ちながら順次送り出される（図３参照）。送り出された枚葉用紙Ｓ１は下流のニップローラ３、３によりさらに下流のヒートローラ４、４へと送られる。そして上方に待機しているロールから疑似接着フィルムＧが繰り出されてヒートローラ４、４間において枚葉用紙Ｓ１の表面の疑似接着予定面に整合される。
【００１４】
ところで、疑似接着フィルムＧは図４に示す如く、例えばポリエチレンテレフタレート、ポリプロピレン、ポリカーボネート、アセテート、ポリエステル等の比較的腰が強く剛性を備えた基材３０の一方の面に疑似接着層３２を形成すると共に、もう一方の面にポリエチレン、ＥＶＡ、ＥＥＡ、ＥＡＡ、アイオノマー等からなる公知の感熱接着剤層３１が形成されており、通常はロール状に巻き取られて保管される。
【００１５】
図５（Ａ）及び（Ｂ）に示す如く、ヒートローラ４、４で整合された枚葉用紙Ｓ１裏面（疑似接着予定面）と疑似接着フィルムＧは疑似接着フィルムＧに形成されている感熱接着剤層３１を介して強固に接着される。そして枚葉用紙Ｓ１は連続的に繰り出される疑似接着フィルムＧにより長尺状の連続物となりさらに下流のスリッタ６、６へ送られる。
【００１６】
下流のスリッタ６、６では図６（Ａ）に示す如く斜線で示される用紙移送方向の余白部分Ｖ１が切除される。
前記用紙移送方向の余白部分Ｖ１の切除は図６（Ｂ）に示す如く用紙移送方向に沿ってスリッタ６とバックアップローラ３６の組み合わせで連続的に切除することができる。この際に折りミシンＬをミシン刃３５等（折筋を付けても構わない）により同時に形成しておけば続く折工程での二つ折り作業が容易に行うことができる。
【００１７】
用紙移送方向の余白部分Ｖ１が切除された枚葉用紙Ｓ１は図７（Ａ）及び（Ｂ）に示す状態でサポートローラ７及び８間に弛みを作りさらに下流の折り機９を通過して図８に示す如く二つ折りに折り畳まれるのである。そしてサポートローラ１０とニップローラ１１、１１によりさらに下流の工程へ搬送される。
【００１８】
前記ニップローラ１１、１１の下流には例えばトムソン、ロータリー、スウィング、スライド、ギロチン等の各種方式によるカッタ１２、１２が設置されている。そして図８（Ａ）及び（Ｂ）に示す如く、前記折り畳まれた枚葉用紙Ｓ１の天地側の余白部分Ｖ２（斜線で表示した部分）がカッタ１２により切除される。
【００１９】
以下図９〜図１６に沿って本発明におけるカット動作を経時的に説明する。
図９（Ａ）及び（Ｂ）に示す如く、当初左から右方向へ搬送されてくる枚葉用紙Ｓ１の先端ＰをセンサＸが検知する。するとセンサＸは枚葉用紙Ｓ１を図１０（Ａ）及び（Ｂ）に示す如く任意の位置まで送り出し停止させる。停止した位置の二点鎖線Ｑ部分には例えばスライドカッタＹ及びＺが二つ折り葉書用紙ｔ１の天地サイズに合わせた間隔で配置されており、それにより二点鎖線Ｑ部分が同時にカットされる。その結果二つ折り葉書用紙ｔ１が図１１に示す如く切り出されるのである。その後二つ折り葉書用紙ｔ１は右方向へ送り出されるのであるが、その際進行方向に対して先行する位置にある天地側の余白部分Ｖ２は落下して排除される。
【００２０】
次に図１２に示す如く、後続の二つ折り葉書用紙ｔ１が前記先行した二つ折り葉書用紙ｔ１と同様に任意の位置まで進行して停止する。そして前記と同様に二点鎖線Ｑ部分が同時にカットされる。その結果後続の二つ折り葉書用紙ｔ１が図１３に示す如く切り出されるのである。その際前記同様に進行方向に対して先行する天地側の余白部分Ｖ２は落下して排除される。
以上が枚葉用紙Ｓ１から２丁の二つ折り葉書用紙ｔ１を切り出す一連の動作の説明である。
【００２１】
ところで図１３において、２丁の二つ折り葉書用紙ｔ１が切り出された後に、後続の枚葉用紙Ｓ１が継続して送り出されて来るのであるが、その際に疑似接着フィルムＧが表出した部分を通過する。この部分は透明なのでセンサが反応して後続の枚葉用紙Ｓ１の先端Ｐを検知する。するとセンサＸは枚葉用紙Ｓ１を図１４（Ａ）及び（Ｂ）に示す如く任意の位置まで送り出し停止させる。そして図１５（Ａ）に示す如く二点鎖線Ｑ部分が同時にカットされるのである。この後は図１６に示す如く（図１２と同じ図である）先行した枚葉用紙Ｓ１と同様の動作を繰り返すことになる。
【００２２】
なお、疑似接着フィルムＧと枚葉用紙Ｓ１は予め強固に接着されている。従って、前記二点鎖線Ｑ部分の切断において、疑似接着フィルムＧと枚葉用紙Ｓ１が分離してカッタや搬送用のローラに巻きつく等のトラブルを回避することができるのである。仮に予め両者が接着されていない場合には、先行及び後行する枚葉用紙Ｓ１、Ｓ１間の繋ぎ目において、露出する疑似接着フィルムＧの中間でいったん切断して先行する用紙の余白部分Ｖ２や疑似接着フィルムＧの切れカスを排除する等の手段を講じないとうまく行かないのであるが本発明ではそのような面倒が起こらない。
【００２３】
全ての余白部分が切除された二つ折り葉書用紙ｔ１は、さらに下流に設置された例えばヒートローラ１３、１３（ヒータパネルと加圧ローラの組み合わせでも構わない）を通過することにより、加熱・加圧処理を施されて図１７（Ａ）及び（Ｂ）に示す如く剥離可能に一体化される。そして完成された情報通信体Ｊ（二つ折り葉書）は最終的に図１右側のスタッカ１４にベルトコンベア等により集積されるのである。
【００２４】
なお上記実施例では、二点鎖線Ｑで示される２箇所にスライドカッタを配置して、ほぼ同時にカット動作を行っているが必ずしも同時に行う必要はない。
またスライドカッタを例えば上流側の一箇所のみに配置して、順次カット動作を繰り返して余白部分Ｖ２を切り落としても構わない。
【００２５】
次に本発明の別の態様について説明する。
図１９（Ａ）及び（Ｂ）に示す如く、枚葉用紙Ｓ２は例えばＡ３サイズより一回り大きなＡ３ワイド用紙（菊４つ切）にほぼ葉書３倍寸サイズの三つ折り葉書用紙ｔ２が３丁面付けされている。そして三つ折り葉書用紙ｔ２は第一葉片６１、第二葉片６２、第三葉片６３がそれぞれ折り線６４、６５を介して連接されており、第一葉片６１表面には郵便切手欄６６と郵便番号欄６７が印刷され、第二葉片６２、第三葉片６３表面には例えば秘密を要する個人情報２７（必ずしも秘密を要する情報である必要はなく、一般情報や或いは一般情報と個人情報が混在していても構わない）が記載されている。一方第三葉片６３裏面には一般情報が記載されると共に第二葉片６２、第一葉片６１裏面には例えば秘密を要する個人情報６８（必ずしも秘密を要する情報である必要はなく、一般情報や或いは一般情報と個人情報が混在していても構わない）が記載されている。
【００２６】
前記枚葉用紙Ｓ２は、図１８において左側の用紙載せ台４１に積載される。積載された枚葉用紙Ｓ２は最上面から１枚ずつ、各三つ折り葉書用紙ｔ２の天地方向が用紙移送方向に沿うように、既述の枚葉用紙Ｓ１の場合と同様に例えば吸着パッド４２等により右側下流の工程へ等間隔を保ちながら順次送りだされる。送り出された枚葉用紙Ｓ２は下流のニップローラ４３、４３によりさらに下流のヒートローラ４４、４４へと送られる。そして上方及び下方に待機しているロールから疑似接着フィルムＧが繰りだされてヒートローラ４４、４４間において、図２０（Ａ）及び（Ｂ）に示す如く、枚葉用紙Ｓ２の表裏面におけるそれぞれの疑似接着予定面に整合される。
【００２７】
そして前記枚葉用紙Ｓ２の表裏の疑似接着予定面と疑似接着フィルムＧは疑似接着フィルムＧに形成されている感熱接着剤層３１を介して強固に接着される。そうして枚葉用紙Ｓ２は連続的に繰り出される疑似接着フィルムＧにより長尺状の連続物となりさらに下流のスリッタ４６、４６へ送られる。
【００２８】
下流のスリッタ４６、４６では図２１に示す如く、用紙移送方向の余白部分Ｖ３が切除される。前記用紙移送方向の余白部分Ｖ３の切除は図６（Ｂ）の場合と同様に用紙移送方向に沿ってスリッタ４６とバックアップローラ３６の組み合わせで連続的に切除することができる。この際に折りミシンＬを例えばミシン刃３５等（折り筋を付けても構わない）により同時に形成しておけば続く折工程での三つ折り作業が容易に行うことができる。
【００２９】
用紙移送方向の余白部分Ｖ３が切除された枚葉用紙Ｓ２は図２３（Ａ）及び（Ｂ）に示す状態でサポートローラ４７及び４８間に弛みを作りさらに下流の折り機４９を通過して図２２に示す如く断面Ｚ字状態に折り畳まれるのである。そして既述の二つ折り葉書の場合と同様に、各三つ折り葉書用紙ｔ２の天地側の余白部分がセンサＸの制御によりカットされて順次除去され、最終的に図２４（Ａ）及び（Ｂ）に示す如く完成品となる。
【００３０】
本発明は上記実施例に制限されるものではない。
例えばセンサの位置や数について特別な制限はない。実施例では通過用紙の下方に設けているが上方に設けても構わず、また複数個のセンサで制御しても構わない。
情報通信体Ｊの折りのバリエーションに関しては、記述の二つ折りや三つ折り（Ｚ折り）以外に巻き折り状態の三つ折り、さらにそれ以上の複数葉片の折り形態でも構わない。即ち三つ折り以上の形態としては四つ折り以上の蛇腹折りや巻き折り、或いは観音開き折りやそれらの混合形態がある。
また、疑似接着フィルムは疑似接着層３２を対向させて規定の処理を施さない限り疑似接着することはない。そのため疑似接着予定面以外（例えば図１９における第三葉片裏面）を被覆しておいても何ら問題は起こらない。
【図面の簡単な説明】
【００３１】
【図１】本発明に係る情報通信体の製造方法における工程の流れを示す要部概略図である。
【図２】（Ａ）及び（Ｂ）は二つ折り葉書用紙の表面図及び裏面図である。
【図３】枚葉用紙Ｓ１が搬送される様子を示す平面図である。
【図４】疑似接着フィルムＧを厚さ方向に拡大した部分拡大断面図である。
【図５】（Ａ）は疑似接着フィルムＧで被覆された枚葉用紙Ｓ１が搬送される様子を示す平面図、（Ｂ）はＩ−Ｉ線断面図である。
【図６】（Ａ）は切除される用紙移送方向の余白部分Ｖ１を示す平面図、（Ｂ）は用紙移送方向の余白部分Ｖ１が連続的に切除される様子を示す要部概略平面図である。
【図７】（Ａ）は用紙移送方向の余白部分Ｖ１が切除された枚葉用紙Ｓ１が搬送される様子を示す平面図、（Ｂ）はII−II線断面図である。
【図８】（Ａ）は折り畳まれた枚葉用紙Ｓ１が搬送される様子を示す平面図、（Ｂ）は切除される天地側の余白部分Ｖ２を示す平面図である。
【図９】天地側の余白部分Ｖ２が裁断により切除される具体的な様子を経時的に示す要部概略図である。
【図１０】天地側の余白部分Ｖ２が裁断により切除される具体的な様子を経時的に示す要部概略図である。
【図１１】天地側の余白部分Ｖ２が裁断により切除される具体的な様子を経時的に示す要部概略図である。
【図１２】天地側の余白部分Ｖ２が裁断により切除される具体的な様子を経時的に示す要部概略図である。
【図１３】天地側の余白部分Ｖ２が裁断により切除される具体的な様子を経時的に示す要部概略図である。
【図１４】天地側の余白部分Ｖ２が裁断により切除される具体的な様子を経時的に示す要部概略図である。
【図１５】天地側の余白部分Ｖ２が裁断により切除される具体的な様子を経時的に示す要部概略図である。
【図１６】天地側の余白部分Ｖ２が裁断により切除される具体的な様子を経時的に示す要部概略図である。
【図１７】（Ａ）は完成した情報通信体Ｊ（二つ折り葉書）の斜視図、（Ｂ）は情報通信体Ｊ（二つ折り葉書）の異なる態様を示す斜視図である。
【図１８】情報通信体Ｊ（三つ折り葉書）の製造工程を示す要部概略図である。
【図１９】（Ａ）及び（Ｂ）は枚葉用紙Ｓ２の表面図及び裏面図である。
【図２０】（Ａ）は疑似接着フィルムＧで被覆された枚葉用紙Ｓ２が搬送される様子を示す平面図、（Ｂ）はIII−III線断面図である。
【図２１】切除される用紙移送方向の余白部分Ｖ３を示す平面図である。
【図２２】断面Ｚ字状に折り畳まれた枚葉用紙Ｓ２の断面図である。
【図２３】（Ａ）は用紙移送方向の余白部分Ｖ３が切除された枚葉用紙Ｓ２が搬送される様子を示す平面図、（Ｂ）はIV−IV線断面図である。
【図２４】（Ａ）は完成した情報通信体Ｊ（三つ折り葉書）の斜視図、（Ｂ）は情報通信体Ｊ（三つ折り葉書）の異なる態様を示す斜視図である。
【符号の説明】
【００３２】
Ｓ１、Ｓ２  枚葉用紙
ｔ１、ｔ２  葉書用紙
Ｊ  情報通信体
Ｇ  疑似接着フィルム
Ｖ１、Ｖ２、Ｖ３  余白部分
Ｌ  折りミシン
Ｘ  センサ
Ｙ、Ｚ  カッタ
１、４１  紙載せ台
２、４２  吸着パッド
３、５、１１、４３、４５、５１  ニップローラ
４、１３、４４、５３  ヒートローラ
６、４６  スリッタ
７、８、１０、４７、４８、５０  サポートローラ
９、４９  折り機
１２、５２  カッタ
１４、５４  スタッカ
２１、２２、６１、６２、６３  葉片
２３、６４、６５  折り線
２４、６６  郵便切手欄
２５、６７  郵便番号欄
２６、６９  一般情報
２７、６８  個人情報
３０  基材
３１  感熱接着剤層
３２  疑似接着層
３５  ミシン刃
３６  バックアップローラ
【図１】
0005260184.tif 000002
【図２】
0005260184.tif 000003
【図３】
0005260184.tif 000004
【図４】
0005260184.tif 000005
【図５】
0005260184.tif 000006
【図６】
0005260184.tif 000007
【図７】
0005260184.tif 000008
【図８】
0005260184.tif 000009
【図９】
0005260184.tif 000010
【図１０】
0005260184.tif 000011
【図１１】
0005260184.tif 000012
【図１２】
0005260184.tif 000013
【図１３】
0005260184.tif 000014
【図１４】
0005260184.tif 000015
【図１５】
0005260184.tif 000016
【図１６】
0005260184.tif 000017
【図１７】
0005260184.tif 000018
【図１８】
0005260184.tif 000019
【図１９】
0005260184.tif 000020
【図２０】
0005260184.tif 000021
【図２１】
0005260184.tif 000022
【図２２】
0005260184.tif 000023
【図２３】
0005260184.tif 000024
【図２４】
0005260184.tif 000025